(57)【特許請求の範囲】
【請求項１】
人が座部（７１）に腰掛け状態で足裏が地面にとどく程度の高さの椅子（７）と、該椅子（７）の座部（７１）の下面に下向きに固定された筒体（２１）内で可動体（２５）が上下動し得るようにしたピストン（２）と、該ピストン（２）の可動体（２５）を押し下げる圧力手段（３）と、該圧力手段（３）の圧力を計測する圧力計測手段（４）と、前記ピストン（２）の可動体（２５）に間接又は直接連結されていて該可動体（２５）の下動によって地盤（Ｇ）中に進入する細棒状の進入体（５）と、該進入体（５）の地中進入量を計測する進入量計測手段（６）とを備え、
地盤支持力試験箇所において、前記椅子（７）の座部（７１）上に人が座り、前記圧力手段（３）により可動体（２５）を介して進入体（５）を押し下げて、該進入体（５）を地盤（Ｇ）中に進入させたときの前記圧力計測手段（４）で計測した圧力計測量と前記進入量計測手段（６）で計測した進入計測量とから地盤支持力を算出し得るようにした、
ことを特徴とする地盤支持力試験装置。
【請求項２】
請求項１において、圧力手段（３）は椅子（７）の座部（７１）に座ったままで操作できる手動式の流体圧ポンプ（３１Ａ）を使用し、且つ圧力計測手段（４）となる圧力計（４１）を椅子（７）の座部（７１）に座った人が目視できる場所に位置させることができるようにしている一方、進入量計測手段（６）で計測した進入計測量の表示部（６３）を前記座部（７１）の上面における該座部（７１）に座った人が目視できる位置に設けていることを特徴とする地盤支持力試験装置。
【請求項３】
請求項１又は２において、進入体（５）は、可動体（２５）に間接又は直接連結される直棒部（５１）の下端に該直棒部（５１）の太さ（Ｄ）よりやや大きい外径（Ｅ）の大径部（５２）を設けたものを使用していることを特徴とする地盤支持力試験装置。
【発明の詳細な説明】
【技術分野】
【０００１】
本願発明は、例えば建物や擁壁等の構造物を建設したり道路を舗装したりする際の、地盤の支持力を計測するための地盤支持力試験装置に関するものである。
【背景技術】
【０００２】
例えば建物や擁壁等の構造物を建設したり道路を舗装したりする際には、予め当該建設予定地の地盤の支持力を計測しておくことが好ましい。
【０００３】
この種の地盤支持力を計測するための装置の代表例として、例えば図４に示すような平板載荷試験装置がある。この図４に示す公知の平板載荷試験装置は、直径が３０cm程度の載荷板１０１と、該載荷板１０１を押し下げる油圧ジャッキ１０２（載荷板１０１に一体化されている）と、該ジャッキ用の油圧ポンプ１０３と、該油圧ポンプ１０３の出力を計測する圧力計１０４と、載荷板１０１の沈下量を計測する沈下量計測器（一般に４個のダイヤルゲージが使用される）１０６とを備えている。尚、この種の平板載荷試験装置の公知例としては、例えば特開２００２−２９６１５９号公報（特許文献１）に示されるものがある。
【０００４】
この図４に示す公知の平板載荷試験装置は、次のようにして使用される。即ち、地盤支持力を計測すべき箇所において、地盤Ｇ上に油圧ジャッキ１０２付きの載荷板１０１を載せ、油圧ジャッキ１０２の上に大重量の荷重体１１０（例えば重機のような大重量でジャッキ反力を受け得るもの）を配置した状態で、油圧ポンプ１０３により油圧ジャッキ１０２を伸長させる。このとき、油圧ポンプ１０３の出力（油圧ジャッキ１０２の伸長力）を試験目的に応じて所定圧力まで高め（精密試験では、計画最大荷重を複数段階に等分して行う段階式載荷を行う場合が多い）、その所定圧力を所定時間（例えば３０分間）維持させる。尚、油圧ジャッキ１０２により載荷板１０１を押し下げると該載荷板１０１が地表面から沈下し、そのとき油圧ジャッキ１０２の押し下げ力（伸長側圧力）が低下するが、所定の試験時間は圧力計１０４を見ながら増圧し、常時所定圧力に維持させておく。そして、所定の試験時間経過後における載荷板１０１の沈下量を沈下量計測器１０６で計測し、その計測した沈下量によって地盤支持力を算出する。尚、地盤支持力の算出は、圧力計１０４で計測される油圧ジャッキ１０２の圧力を沈下量計測器１０６で計測される載荷板１０１の沈下量で除算することによって求められる。
【０００５】
尚、段階式載荷試験では、１箇所につき、第１段階荷重による試験が終了した後、順次同様に第２段階荷重〜最大計画荷重までの複数回に分けて試験を行う（この場合は、１箇所につき、１回約３０分×試験回数だけの時間がかかる）。又、地盤支持力を計測すべき現場が、大面積である場合や長い距離である場合には、適宜の面積範囲（又は長さ範囲）に分けて複数箇所をそれぞれ計測する。
【０００６】
【特許文献１】特開２００２−２９６１５９号公報
【発明の開示】
【発明が解決しようとする課題】
【０００７】
ところが、上記した従来の平板載荷試験装置では、地盤支持力を比較的精密に計測できるものの、次のような問題点を有していた。
【０００８】
(1) 比較的大面積（直径が３０cm程度）の載荷板１０１を地盤中に沈下させる必要があるために、試験装置として大掛かりなもの（例えば高出力の油圧ジャッキ関連装置）が使用されるので、設備コストが高くなる。
【０００９】
(2) 試験装置が大掛かりであると、試験箇所を変更する度に試験装置全体（大重量荷重体となる重機を含む）の移動が大掛かりとなり且つセッティングも繁雑になるとともに、それらに長時間を要するので時間コストが高くなる。
【００１０】
(3) 油圧ジャッキの反力受けとして大重量荷重体（例えば重機）を使用する場合が一般的であるが、地盤支持力試験箇所が狭隘な場所では重機（大重量荷重体）の搬入が困難になることがある。
【００１１】
(4) １箇所当たりの試験時間が長くかかるので、地盤支持力試験のための人件費コストが高くつくとともに、試験のための工期が長くなる。
【００１２】
尚、工事現場の地質は多種多様であり、広い面積や距離の長い工事場所等で試験箇所数を少なくすると、試験しない箇所に地盤支持力が低い場所があることがあり、後日のトラブルの原因になることがある。又、比較的小規模工事では、上記のような大掛かりな平板載荷試験を行うほどの工事費が出ない場合が多々あり、現場の地盤支持力試験を行わないまま本体工事を実施することがあるが、その場合には安全性を損なうおそれがある。
【００１３】
そこで、本願発明は、地盤支持力試験の精度は若干劣るものの、簡易に且つ安価でしかも短時間で地盤支持力を計測できるようにした地盤支持力試験装置を提供することを目的とするものである。
【課題を解決するための手段】
【００１４】
本願発明は、上記課題を解決するための手段として次の構成を有している。尚、本願発明は、地盤の支持力を計測するための地盤支持力試験装置を対象にしている。
【００１５】
［本願請求項１の発明］
本願請求項１の発明の地盤支持力試験装置は、人が腰掛け状態で座れる椅子と、該椅子の座部の下面に下向きに固定された筒体内で可動体が上下動し得るようにしたピストンと、該ピストンの可動体を押し下げる圧力手段と、該圧力手段の圧力を計測する圧力計測手段と、ピストンの可動体に間接又は直接連結されていて該可動体の下動によって地盤中に進入する細棒状の進入体と、該進入体の地中進入量を計測する進入量計測手段とを備えて構成されている。
【００１６】
椅子の座部は、人が座れる程度の大きさで、該座部に腰掛けた状態で足裏が地面にとどく程度の高さのものである。
【００１７】
ピストンは、適宜高さを有する筒体内で可動体が上下動し得るものであればよく、例えば油圧（又は水圧）ジャッキやエアージャッキが使用可能である。
【００１８】
圧力手段は、ピストンの可動体を圧力によって押し下げ得るものであればよい。例えば、ピストンが油圧ジャッキであれば圧力手段として油圧ポンプを使用し、ジャッキがエアージャッキであれば圧力手段としてエアーポンプを使用できる。
【００１９】
圧力計測手段は、圧力手段の圧力を計測するもので、圧力手段が油圧ポンプやエアーポンプであれば圧力計測手段として圧力計が使用できる。
【００２０】
進入体は、鋼製の直棒状で、特に限定するものではないが直径が５〜５０mm程度で、地盤中に進入する長さが１００mm程度確保できるものであればよい（全長が１５０mm程度でよい）。この進入体は、ピストン可動体の下方に突出する状態で取付けられている。尚、この進入体は、太さの異なるものを複数種類用意しておき、計測すべき地盤の支持力によって太さの異なる進入体を使い分けるようにしてもよい。その場合、軟弱地盤ほど太い進入体を使用する。
【００２１】
進入量計測手段は、進入体の地盤中への進入量を計測するもので、該進入体の地中進入量を外部から視認できる目盛板が使用可能である。
【００２２】
そして、この請求項１の地盤支持力試験装置では、地盤支持力試験箇所において、椅子の座部上に人が座り、圧力手段により可動体を介して進入体を押し下げて、該進入体を地盤中に進入させたときの圧力計測手段で計測した圧力計測量と進入量計測手段で計測した進入計測量とから地盤支持力を算出し得るようにしたものである。
【００２３】
尚、本願の地盤支持力試験装置を使用するのに当たり、圧力手段の複数の圧力量と進入体の複数の地中進入量によるそれぞれの地盤支持力を予め実験によりデーターマップ化しておき、圧力計測手段で計測された実際の圧力計測量と進入量計測手段で計測された実際の進入計測量から、データマップにより地盤支持力を瞬時に求め得るようにしておくとよい。
【００２４】
この請求項１の地盤支持力試験装置では、圧力手段（油圧ポンプ、エアーポンプ等）の圧力で進入体が地盤中に進入する際には、該進入体に反力（進入抵抗）が発生してピストンの筒体や椅子の座部を持ち上げるような作用が働くが、本願の地盤支持力試験装置に使用されている進入体は直径が細い（５〜５０mm）ので地中進入時の反力（進入抵抗）は比較的小さいものとなる。そして、この地盤支持力試験装置の使用時には椅子座部に人が座って行われるので、進入体が地中進入時に発生するピストン筒体や椅子座部に対する浮き上げ作用を人の体重で阻止できる。
【００２５】
［本願請求項２の発明］
本願請求項２の発明は、上記請求項１の地盤支持力試験装置（椅子を使用したもの）において、圧力手段は椅子の座部に座ったままで操作できる手動式の流体圧ポンプを使用し、且つ圧力計測手段となる圧力計を椅子の座部に座った人が目視できる場所に位置させることができるようにしている一方、進入量計測手段で計測した進入計測量の表示部を座部の上面における該座部に座った人が目視できる位置に設けている。
【００２６】
この請求項２の地盤支持力試験装置に使用される流体圧ポンプとしては、油圧ポンプやエアーポンプ等の手押し式又は足踏み式のものが使用されるが、この流体圧ポンプは、椅子の座部に座っている人が操作できるものである。尚、この流体圧ポンプの流体吐出口とピストンの流体導入口とは、ホースで接続されている。
【００２７】
圧力計測手段としては圧力計（ピストン内の流体圧を計測するもの）が用いられるが、この圧力計は椅子の座部に座った人が目視できる場所に位置させることができる。
【００２８】
進入量計測手段としては、例えば柔軟性のある目盛付きテープを使用できる。そして、この目盛付きテープは、その一端部をピストンの可動部分（例えば可動体に連続する下ロッドや進入体）に固定し、他端側を椅子座部の下面側から座部の外周寄り上面に貫通させて該座部上面に所定長さ範囲（例えば２〜５cm長さ）だけ露出させた後に座部下方に垂れ下げて設置する。尚、目盛付きテープの垂れ下げ側の下端部には重りを取付けて、該目盛付きテープを常時緊張状態に維持させるとよい。この場合は、目盛付きテープにおける椅子座部の外周寄り上面に露出している部分が進入計測量の表示部となる。そして、椅子座部に座るときには、該表示部が股の間に位置するように座ることで、該表示部を椅子座部に座った状態で目視できる。
【００２９】
この目盛付きテープを使用した進入量計測手段では、ピストンの可動部分が上下動することにより、目盛付きテープが押し引き移動され、表示部に露出している目盛変化を読み取ることで進入体の進入量を計測できるようになっている。
【００３０】
この請求項２の地盤支持力試験装置では、椅子座部に座っている人が一人で、圧力手段（流体圧ポンプ）の操作と、圧力計測量（圧力計）の読み取りと、進入量計測手段による進入計測量の読み取りとを行うことができる。
【００３１】
［本願請求項３の発明］
本願請求項３の発明は、上記請求項１又は２の地盤支持力試験装置において、進入体として、可動体に間接又は直接連結される直棒部の下端に該直棒部の太さよりやや大きい外径の大径部を設けたものを使用している。
【００３２】
ところで、本願の地盤支持力試験装置は、細棒状の進入体を地盤中に進入させることで地盤支持力を計測し得るようにしたものであるが、進入体が全長に亘って同直径の棒状体であれば、進入体が地盤中に進入していくときに進入体（棒状体）の外側面も地盤土壌に接触することになる。このように進入体の地中進入時に進入体外側面が地盤土壌に接触すると、進入体外側面部分でも摩擦抵抗が生じるが、この進入体外側面部分で生じる摩擦抵抗は地盤の土質やそのときの含水量によって大きく変わり、地盤の状況（土質や含水量）によっては進入体に同じ圧力を加えても進入体の進入量にバラツキが生じることになる。
【００３３】
そこで、本願請求項３の地盤支持力試験装置では、進入体として直棒部の下端に大径部を設けたものを使用することで、進入体の地中進入時に進入体下端部（大径部）で進入体直棒部の直径より大きい内径の穴を形成しながら進入させることができ、それによって進入体直棒部に地盤土壌との摩擦抵抗が発生しないようにしている。即ち、進入体の地中進入時には、進入体下端の大径部のみが抵抗を受ける。
【発明の効果】
【００３４】
［本願請求項１の発明の効果］
本願請求項１の発明の地盤支持力試験装置は、次のような効果を有している。
【００３５】
(1) 地盤中に進入させる進入体として細棒状のものを使用しているので、該進入体を地盤中に圧入させるための圧力が小さくて済み、その分、装置全体をコンパクトで且つ安価に製作できる。
【００３６】
(2) 進入体が細棒状であるために該進入体の地中進入時に発生する反力が小さいので、その反力受けとして人が座れる椅子を用いることができる。従って、従来（例えば図４）の平板載荷試験装置のように大重量の荷重体（例えば重機）が不要になり（該荷重体のセット作業も不要になる）、地盤支持力試験に際しての準備が簡単に且つ短時間で行える。
【００３７】
(3) 椅子の座部上に人が座り、圧力手段により進入体を押し下げることで、そのときの圧力計測量と進入体の進入計測量とから地盤支持力を算出し得るので、１箇所当たりの試験を短時間で行える（試験工期短縮と人件費削減を達成できる）。
【００３８】
(4) 装置全体がコンパクトで且つ人力で持ち運び得る程度の重量・大きさであるので、試験場所でのセッティングや移動時の取り扱いが容易であり且つ短時間で行える。
【００３９】
［本願請求項２の発明の効果］
本願請求項２の発明は、請求項１の地盤支持力試験装置において、圧力手段（流体圧ポンプ）の操作と、圧力計測手段（圧力計）による圧力計測量の読み取りと、進入量計測手段による進入計測量の読み取りとを、椅子の座部に座った一人の作業員で行える。
【００４０】
従って、この請求項２の地盤支持力試験装置では、上記請求項１の効果に加えて、地盤支持力試験を一人の作業員で行えるので、人件費コストを一層低減できるという効果がある。
【００４１】
［本願請求項３の発明の効果］
本願請求項３の発明は、請求項１〜２の地盤支持力試験装置において、進入体として、可動体に連結される直棒部の下端に該直棒部の太さよりやや大きい外径の大径部を設けたものを使用している。
【００４２】
この請求項３に使用される進入体では、地中進入時に、進入体直棒部が地盤土壌に接触しないので該直棒部に地盤土壌との摩擦抵抗が発生しない（進入体下端の大径部のみが進入抵抗を受ける）。このことは、計測されたデータの誤差範囲を小さくすることに寄与するものである。
【００４３】
従って、この請求項３の地盤支持力試験装置では、上記請求項１〜２の効果に加えて、試験により算出された地盤支持力の精度（信頼性）を高めることができるという効果がある。
【実施例】
【００４４】
以下、図１〜図３を参照して本願の地盤支持力試験装置の実施例を説明すると、この実施例の地盤支持力試験装置は、人が腰掛け状態で座り載り得る椅子７と、椅子７の座部７１下面に取付けられたピストン２と、ピストン２の可動体２５を押し下げる圧力手段３と、圧力手段３の圧力を計測する圧力計測手段４と、可動体２５の下動によって地盤中に進入する細棒状の進入体５と、進入体５の地中進入量を計測する進入量計測手段６とを基本構造としている。
【００４５】
椅子７は、図１に示すように、人Ｍが座れる程度の面積を有した座部７１の下面に３本の脚７２，７２，７２を取付けている。座部７１の高さは、人Ｍが座部７１上に座った状態で両足Ｆ，Ｆが地面上に届く程度のものである。各脚７２，７２，７２の下端には、それぞれ沈み込み防止用の接地板７３，７３，７３を取付けている。尚、各脚７２，７２，７２は、半径方向内方に折畳み得る構造のものが採用でき、持ち運び時に各脚７２，７２，７２を中心方向に折畳むことによってコンパクトにし得るようにするとよい。
【００４６】
椅子７の座部７１の外周寄り部分には、後述する目盛付きテープ６４を座部上面に迂回させるための２つの長穴７４，７４（図２、図３）が形成されている。
【００４７】
座部７１の下面中央部には、ピストン２が下向き姿勢で固定されている。この実施例では、ピストン２としてエアージャッキ（他の実施例では油圧ジャッキでも可）が使用されている。このエアージャッキ２は、図３に示すように、筒体２１内にエアー圧で押し下げられる可動体２５を有し、該可動体２５の下面に下ロッド２７を下向きに取付けている。尚、下ロッド２７の下端は、筒体２１の下面から所定長さだけ突出している。
【００４８】
ピストン２の下ロッド２７の下端部には、細棒状の進入体５が下向きに連結されている。この進入体５は、直棒部５１の下端部に大径部５２を設けたものが使用されている。尚、この進入体５の下ロッド２７に対する連結構造は、ネジによる螺合を採用できる。
【００４９】
進入体５は、鋼棒製で直棒部５１の下端に該直棒部５１の直径よりやや大きい外径の大径部５２を設けたものが使用されている。直棒部５１は、例えば直径が５〜５０mm程度の範囲で長さが１２０〜２００mm程度の範囲のものが使用可能であるが、図示例では、直棒部５１として直径が１０〜１３mm程度で長さが１５０〜１６０mm程度のものを使用している。又、直棒部下端の大径部５２は、小高さで外径が直棒部直径より３〜５mm程度大きい形状に形成されている。
【００５０】
進入体５は、大径部５２の外径が異なるものを複数種類用意しておき（その場合でも、大径部外径は直棒部５１の直径より大きい）、計測すべき地盤の支持力によって大径部外径の異なる進入体５を使い分けるようにしてもよい。又、他の実施例では、進入体５として下端に大径部５２の無い直棒部５１だけのものも使用可能であるが、その場合は直棒部５１の太さが異なるものを複数種類用意しておくとよい。
【００５１】
圧力手段３としては、手押し式のエアーポンプ３１Ａが採用されている。このエアーポンプ３１Ａは、ハンドル３８Ａを人力で押下げることで圧縮エアーを吐出させることができる。
【００５２】
エアーポンプ３１Ａのエアー吐出口とエアージャッキ２のエアー導入口とはホース３２で接続されていて、エアーポンプ３１Ａを作動させると圧縮エアーがホース３２を介してエアージャッキ２の伸長側室に導入されるようになっている。
【００５３】
尚、ピストン２に油圧ジャッキを使用した場合には、エアーポンプ３１Ａに代えて油圧ポンプ（例えば足踏み式のもの）が採用される。又、足踏み式の流体圧ポンプを使用した場合には、該流体圧ポンプの踏み板を椅子座部に座った人の足元に位置させて、人が椅子座部に座ったままで流体圧ポンプを作動させ得るようにする。
【００５４】
圧力計測手段４としては、エアージャッキ２内のエアー圧を計測する圧力計４１が採用されている。この圧力計４１は、この実施例ではエアーポンプ３１Ａの近傍に設置されていて、該エアーポンプ３１Ａを操作する状態で該圧力計４１を見ることができるようになっている。尚、足踏み式の流体圧ポンプを使用した場合にも、圧力計４１を椅子座部に座った人が見ることができる位置に設ける。
【００５５】
この実施例では、進入体５の地盤Ｇ中への進入量を計測するための進入量計測手段６として、柔軟性のある目盛付きテープ６４を使用している。この目盛付きテープ６４は、その一端部６４ａをピストン２の下ロッド２７に取付けた取付台２７ａに固定し、他端側を椅子座部７１の下面側から座部７１の外周寄り部分に設けた２つの長穴７４，７４を通して座部上面に所定長さ範囲（例えば２〜５cm長さ）だけ露出させた後に座部下方に垂れ下げて設置している。目盛付きテープ６４の垂れ下げ側端部６４ｂには重り６６を取付けて、該目盛付きテープ６４を常時緊張状態に維持させている。この場合は、目盛付きテープ６４における椅子座部７１の外周寄り上面に露出している部分が進入体５の進入計測量の表示部６３となる。
【００５６】
尚、目盛付きテープ６４の表示部６３には、指針６５（図２）が設けられている。そして、この表示部６３は、椅子７を地面上に置いた状態で進入体５の下端（大径部５２下面）が地面に接した時点の表示値を起点（「０」点）とする。
【００５７】
椅子座部７１の上面には、上記表示部６３の近傍に水準器９を設けている。この水準器９は、椅子７を地面上に設置したときに、座部７１が水平（ピストン２が鉛直）になっているかどうかを確認するするものである。
【００５８】
ところで、この実施例の地盤支持力試験装置を使用するのに当たり、圧力手段３の複数の圧力量と進入体の複数の地中進入量によるそれぞれの地盤支持力を予め実験によりデーターマップ化しておき、圧力計測手段４で計測された実際の圧力計測量と進入量計測手段６で計測された実際の進入計測量とで、地盤支持力を瞬時に求め得るようにしておく。
【００５９】
この実施例の地盤支持力試験装置は、次のように使用される。まず、地盤支持力試験箇所の地面Ｇ上に椅子７を置く（座部７１を水平にする）が、該椅子７を地面Ｇ上に置いた状態では、進入体５の下端（大径部５２下面）が地面から若干高さだけ離間していてもよい。
【００６０】
次に、作業員Ｍがエアーポンプ３１Ａを手に持って椅子座部７１に座るが、図１及び図２に示すように進入量計測手段６の表示部６３が股の間に位置するように座る。そして、エアーポンプ３１Ａを図１に鎖線図示（符号３１Ａ′）するように、股の間で座部７１の上面に縦向き姿勢で載せると作業の準備が完了する。
【００６１】
この作業準備完了状態では、椅子７に座っている作業員Ｍが、エアーポンプ３１Ａを操作（ハンドル３８Ａの操作）でき、圧力計４１及び進入量計測手段６の表示部６３をそれぞれ目視できる状態にある。
【００６２】
次に、エアーポンプ３１Ａを操作してエアーをピストン２に供給すると、可動体２５、下ロッド２７、進入体５が下動して、該進入体５の下端（大径部５２）が地面上に接地するが、この時点の目盛付きテープ６４の目盛を起点（「０点」）として記録する。
【００６３】
続いて、エアーポンプ３１Ａを操作すると、エアー圧により可動体２５に押し下げ力が作用し、進入体５が地盤Ｇの抵抗を受けながら地中に進入していく。このとき進入体５に反力（進入抵抗）が発生してピストン筒体２１や椅子座部７１を持ち上げるような作用が働くが、椅子座部７１に人Ｍが座っているので、進入体５が地中進入時に発生する椅子座部７１の浮き上げ作用を人の体重で十分阻止できる。
【００６４】
進入体５が地盤Ｇ中に進入していく（例えば図３に鎖線図示する符号５′の状態）と、目盛付きテープ６４の取付台固定側端部６４ａが下方に引っ張られて、表示部６３の指針６５に対応する目盛付きテープ６４の目盛（進入計測量）が変化するとともに、圧力計４１の圧力計測量も変化するが、これらの計測量（目盛付きテープ６４及び圧力計４１）は、椅子座部７１に座っている作業員一人で読み取ることができる。
【００６５】
そして、圧力計測量（圧力計４１）が所定値に達したとき、あるいは進入計測量（目盛付きテープ６４の目盛）が所定値に達したときに、その時点での圧力計測量と進入計測量（起点からの変位量）とにより、予め作成したデーターマップにより当該試験位置の地盤支持力を求めることができる。当該試験位置での地盤支持力を算出すると、油圧ポンプ３１を逆作動させて進入体５を地盤Ｇ中から抜き取ればよい。
【００６６】
この実施例の地盤支持力試験装置では、上記の作業で１箇所の地盤支持力試験が完了するので、作業が極めて簡単であり且つ短時間で行える。又、当該試験位置での地盤支持力試験が完了すると、装置全体を次の試験場所まで持ち運んで上記と同様の試験作業を行うが、この地盤支持力試験装置は人力で持ち運べるので、場所移動が容易で且つ短時間で行える。
又、この実施例の地盤支持力試験装置を使用すると、地盤支持力試験の各作業（エアーポンプ３１Ａの操作、圧力計４１及び目盛付きテープ６４の各読み取り）を一人の作業員で行うことができ、人件費コストを低減できる。
【００６７】
さらに、この実施例では、進入体５として直棒部５１の下端に大径部５２を設けたものを使用しているが、進入体大径部５２が地中に進入していくと、進入体５の周囲の地盤Ｇ中に進入体大径部５２の外径とほぼ同径の穴があけられる。この穴は、進入体５の直棒部５１の直径より大きいので、進入体５の地中進入時に進入体直棒部５１と地盤土壌との間に摩擦抵抗が発生しない。従って、計測データが地盤の状況（土質や含水量）に影響されにくくなる。
【００６８】
又、この実施例の地盤支持力試験装置は、地盤Ｇ中に進入させる進入体５が細棒状であるので、圧力手段３（油圧ポンプ３１）やピストン（油圧ジャッキ）２等を低能力で小型のものを採用できる。従って、装置全体を人力で持ち運びし得る程度まで小型軽量化することができ、しかも製作コストが安価となる。
【図面の簡単な説明】
【００６９】
【図１】本願実施例の地盤支持力試験装置の斜視図である。
【図２】図１の平面図である。
【図３】図２のIV−IV断面図である。
【図４】従来の平板載荷試験装置の概略図である。
【符号の説明】
【００７０】
２はピストン、３は圧力手段、４は圧力計測手段、５は進入体、６は進入量計測手段、７は椅子、２１はピストン筒体、２５はピストン可動体、３１Ａはエアーポンプ、４１は圧力計、５１は直棒部、５２は大径部、６３は表示部、６４は目盛付きテープ、６５は指針、７１は座部である。
【図１】
0004939876.tif 000002
【図２】
0004939876.tif 000003
【図３】
0004939876.tif 000004
【図４】
0004939876.tif 000005